(57)【要約】【課題】前面枠取外しの作業負担を軽減でき且つ安全性の向上を図ることのできる枠組みパレットを提供すること。【解決手段】板状部材を立てかける背面枠を下部フレームの後側に立設してなるパレット本体と、そのパレット本体における下部フレーム１２の先端に着脱可能に設けられた前面枠２０とから構成される枠組みパレットにおいて、前面枠２０を手前に傾けた時にのみ接地する状態で前面枠２０の下部にコロ２３を取り付け、下部フレーム先端の前面枠受入部１３に転倒防止バー１４を前方に向けて突設するとともに前面枠をセットする時にその転倒防止バーが侵入して係合するための受け溝を前面枠の下部に設ける。前面枠２０を手前に傾けた状態で転がして押し込む或いは引き出すだけで簡単に着脱できる。【選択図】　　　　図７
2004090958.tif 000002
【特許請求の範囲】
【請求項１】
板状部材を立てかける背面枠を下部フレームの後側に立設してなるパレット本体と、そのパレット本体における下部フレームの先端に着脱可能に設けられた前面枠とから構成される枠組みパレットにおいて、前面枠を手前に傾けた時にのみ接地する状態で前面枠の下部にコロを取り付け、下部フレーム先端の前面枠受入部に転倒防止バーを前方に向けて突設するとともに前面枠をセットする時にその転倒防止バーが侵入して係合するための受け溝を前面枠の下部に設けたことを特徴とする枠組みパレット。
【発明の詳細な説明】
【０００１】
【発明の属する技術分野】
本発明は、ガラス板等の板状部材を複数枚まとめて搬送する際に用いられる枠組みパレットに関するものである。
【０００２】
【従来の技術】
従来、プラズマディスプレイパネル（ＰＤＰ）、液晶表示装置（ＬＣＤ）などの基板に用いられる大型サイズのガラス板を複数枚まとめて搬送する場合、下部フレームの前後にそれぞれ前面枠と背面枠を有する枠組みパレットが利用されている。この枠組みパレットは、ガラス板を背面枠に複数枚立てかけた状態で収納するものであるが、一枚ずつ出し入れするために、前面枠は下部フレームに対して着脱可能になっている。
【０００３】
【発明が解決しようとする課題】
従来の技術で述べたタイプの枠組みパレットは、下部フレームから前面枠を取り外す際、まず最初に前面枠と下部フレームの間にあるロック機構を解除してから、自由になった前面枠を人手により持ち上げて取り外すタイプのものが殆どである。そして、枠組みパレットの材質は金属製のものが多く、前面枠の重量も大きいため、サイズによっては二人で持ち上げて取り外すものもあり、取外しの作業性に難があった。
【０００４】
そして、ＰＤＰ、ＬＣＤ等のディスプレイ分野においては、今後とも基板の大型化が予測されるが、それに伴って基板であるガラス板を搬送するための枠組みパレットがさらに重くなることが予測される。
【０００５】
本発明は、このような問題点や背景に鑑みてなされたものであり、その目的とするところは、前面枠取外しの作業負担を軽減でき且つ安全性の向上を図ることのできる枠組みパレットを提供することにある。
【０００６】
【課題を解決するための手段】
上記の目的を達成するため、本発明は、板状部材を立てかける背面枠を下部フレームの後側に立設してなるパレット本体と、そのパレット本体における下部フレームの先端に着脱可能に設けられた前面枠とから構成される枠組みパレットにおいて、前面枠を手前に傾けた時にのみ接地する状態で前面枠の下部にコロを取り付け、下部フレーム先端の前面枠受入部に転倒防止バーを前方に向けて突設するとともに前面枠をセットする時にその転倒防止バーが侵入して係合するための受け溝を前面枠の下部に設けたことを特徴とするものである。
【０００７】
【発明の実施の形態】
以下、本発明の実施の形態について図面を参照しながら説明する。
【０００８】
図１は本発明に係る枠組みパレットの一例を複数枚の板状部材とともに示す側面図、図２は同じく正面図である。
【０００９】
これらの図に示す枠組みパレットは、板状部材Ｇとして例えばＰＤＰ用ガラス基板を複数枚積層して搬送するためのもので、板状部材Ｇを立てかける背面枠１１を下部フレーム１２の後側に立設してなる金属製のパレット本体１０と、そのパレット本体１０における下部フレーム１２の先端に着脱可能に設けられた同じく金属製の前面枠２０とから構成されている。
【００１０】
前面枠２０は、上辺の横枠２１に３本の縦枠２２が連接した形状で、各縦枠２２はチャンネル材からなり、その下部にはそれぞれ図３及び図４に示すように円柱状のコロ２３が回転自在に取り付けられている。ここで、コロ２３は縦枠２２の底辺から出ないように僅かに高く取り付けられているが、図示の如く縦枠２２の下部は手前側が切り欠かれており、前面枠２０を手前に傾けた時にのみコロ２３が接地する状態になっている。
【００１１】
一方、パレット本体１０の下部フレーム１２は前面枠２０の縦枠２２に対応して３本設けられており、その先端にはそれぞれ図５及び図６に示すように前面枠受入部１３が設けられている。すなわち、下部フレーム１２の先端には前面枠２０の下部が入る大きさの溝が設けられている。そして、下部フレーム１２の前面枠受入部１３には転倒防止バー１４が前方に向けて突設されており、これに対応して前面枠２０の縦枠２２の下部には、前面枠２０をセットする時に転倒防止バー１４が入り込んで係合するための受け溝２４が設けられている。
【００１２】
パレット本体に前面枠をセットする際の手順を図７に示す。まず図７（ａ）に示す起立状態から前面枠２０を手前に傾け、コロ２３を床に接地させて移動可能な状態にする。そして、前面枠２０を手で押して、図７（ｂ）に示すように、パレット本体における下部フレーム１２先端の前面枠受入部１３に前面枠２０の下部を押し込み、受け溝２４に転倒防止バー１４を嵌め込んだ後、図７（ｃ）に示す如く前面枠２０を垂直に立ててセットを完了する。このセット状態では転倒防止バー１４が前面枠２０の受け溝２４に入っているため、前面枠２０が倒れた場合でも、図７（ｂ）に示す以上に傾斜することはない。また、パレット本体から前面枠２０を取り外す場合は逆の手順で行えばよい。
【００１３】
以上、本発明の実施の形態について説明したが、本発明による枠組みパレットは、上記した実施の形態に何ら限定されるものではなく、本発明の趣旨を逸脱しない範囲において種々の変更が可能であることは言うまでもない。
【００１４】
例えば、上記ではＰＤＰ用ガラス基板の搬送用として説明したが、本発明の枠組みパレットは板状部材を積層して搬送するパレットであればどのようなタイプのものでも適用できる。
【００１５】
また、パレット本体と前面枠の材質は上記で説明したような金属製に限るものではなく、木製や樹脂製など他の材質であっても構わない。
【００１６】
また、前面枠の下部に取り付けるコロは、円柱状コロでなくて球状コロでも構わないし、前面枠の縦枠についても、垂直にした時に安定して固定できればそのチャンネル材の形状は任意でよい。
【００１７】
【発明の効果】
本発明は、板状部材を立てかける背面枠を下部フレームの後側に立設してなるパレット本体と、そのパレット本体における下部フレームの先端に着脱可能に設けられた前面枠とから構成される枠組みパレットにおいて、前面枠を手前に傾けた時にのみ接地する状態で前面枠の下部にコロを取り付け、下部フレーム先端の前面枠受入部に転倒防止バーを前方に向けて突設するとともに前面枠をセットする時にその転倒防止バーが侵入して係合するための受け溝を前面枠の下部に設けたことを特徴としているので、前面枠を手前に傾けた状態で転がして押し込む或いは引き出すだけで簡単に着脱できることから、作業員の負荷が軽減され、しかも作業の安全性が向上する。また、従来二人で行っていた取外しを一人で行えるため、作業の効率化を図ることもできる。
【図面の簡単な説明】
【図１】本発明に係る枠組みパレットの一例を複数枚の板状部材とともに示す側面図である。
【図２】図１に示す枠組みパレットの正面図である。
【図３】前面枠における縦枠下部の構成を示す斜視図である。
【図４】前面枠における縦枠下部の構成を示す側面図、正面図及び上面図である。
【図５】パレット本体における下部フレーム先端に設けられた前面枠受入部の構成を示す斜視図である。
【図６】パレット本体における下部フレーム先端に設けられた前面枠受入部の構成を示す正面図と側面図である。
【図７】パレット本体に前面枠をセットする手順を示す説明図である。
【符号の説明】
１０　パレット本体
１１　背面枠
１２　下部フレーム
１３　前面枠受入部
１４　転倒防止バー
２０　前面枠
２１　横枠
２２　縦枠
２３　コロ
２４　受け溝
Ｇ　板状部材
【図１】
2004090958.tif 000003
【図２】
2004090958.tif 000004
【図３】
2004090958.tif 000005
【図４】
2004090958.tif 000006
【図５】
2004090958.tif 000007
【図６】
2004090958.tif 000008
【図７】
2004090958.tif 000009